(57)【要約】【課題】再生信号に含まれるレーザノイズを効果的に除去し得るとともに、正確なレーザ出力制御を行い得るようにする。【解決手段】レーザ光を出射する発光素子３１と、第１の受光素子３０に設けられレーザ光が光ディスク８で反射されてなる反射レーザ光を受光して検出電流を出力する第１の光検出器と、第２の受光素子３３に設けられ発光素子３１から出射されたレーザ光の一部を受光して検出電流を出力する第２の光検出器と、第１の光検出器から出力された検出電流を電流／電圧変換して再生信号を生成する第１の電流／電圧変換回路及び第２の光検出器から出力された検出電流を電流／電圧変換してモニタ信号を生成する第２の電流／電圧変換回路を有する回路素子３０とを光学集積素子９に設けた。【選択図】図２
2007220216.tif 000002
【特許請求の範囲】
【請求項１】
レーザ光を出射する発光素子と、
第１の受光素子に設けられ、上記レーザ光が光ディスクで反射されてなる反射レーザ光を受光し、受光光量に応じた検出電流を出力する第１の光検出器と、
第２の受光素子に設けられ、上記発光素子から出射された上記レーザ光の一部を受光し、受光光量に応じた検出電流を出力する第２の光検出器と、
上記第１の光検出器から出力された検出電流を電流／電圧変換して再生信号を生成する第１の電流／電圧変換回路と、上記第２の光検出器から出力された検出電流を電流／電圧変換してモニタ信号を生成する第２の電流／電圧変換回路とを有する回路素子と
を具えることを特徴とする光学集積素子。
【請求項２】
上記第１の電流／電圧変換回路及び第２の電流／電圧変換回路は、上記第１の受光素子又は第２の受光素子のいずれか一方に設けられている
ことを特徴とする請求項１に記載の光学集積素子。
【請求項３】
上記第１の受光素子は、上記光学集積素子に設けられた素子配置手段の一面に配置され、
上記第２の受光素子は、上記素子配置手段における上記一面と相対する他面に取り付けられている
ことを特徴とする請求項１に記載の光学集積素子。
【請求項４】
上記第１の光検出器の寄生容量と上記第１の電流／電圧変換回路の帰還抵抗の抵抗値との積と、上記第２の光検出器の寄生容量と上記第２の電流／電圧変換回路の帰還抵抗の抵抗値との積が略等しい
ことを特徴とする請求項１に記載の光学集積素子。
【請求項５】
レーザ光を出射する発光素子と、
第１の受光素子に設けられ、上記レーザ光が光ディスクで反射されてなる反射レーザ光を受光し、受光光量に応じた検出電流を出力する第１の光検出器と、
第２の受光素子に設けられ、上記発光素子から出射された上記レーザ光の一部を受光し、受光光量に応じた検出電流を出力する第２の光検出器と、
上記第１の光検出器から出力された検出電流を電流／電圧変換して再生信号を生成する第１の電流／電圧変換回路と、上記第２の光検出器から出力された検出電流を電流／電圧変換してモニタ信号を生成する第２の電流／電圧変換回路とを有する回路素子と
を具えることを特徴とする光ピックアップ装置。
【請求項６】
レーザ光を出射する発光素子と、
第１の受光素子に設けられ、上記レーザ光が光ディスクで反射されてなる反射レーザ光を受光し、受光光量に応じた検出電流を出力する第１の光検出器と、
第２の受光素子に設けられ、上記発光素子から出射された上記レーザ光の一部を受光し、受光光量に応じた検出電流を出力する第２の光検出器と、
上記第１の光検出器から出力された検出電流を電流／電圧変換して再生信号を生成する第１の電流／電圧変換回路と、上記第２の光検出器から出力された検出電流を電流／電圧変換してモニタ信号を生成する第２の電流／電圧変換回路とを有する回路素子と
を具えることを特徴とする光ディスク装置。
【発明の詳細な説明】
【技術分野】
【０００１】
本発明は、光ディスク装置に用いる光ピックアップ装置に適用して好適なものである。
【背景技術】
【０００２】
従来、光ディスク装置においては、光ピックアップのレーザダイオードから出射されるレーザ光の光ビームを光ディスクに照射し、その反射光を再生ＰＤ（Photo Diode）で受光して当該反射光の光量変化に基づいて再生信号を得るとともに、レーザダイオードから出射された光ビームの一部を偏光ビームスプリッタ等の分光手段で分光して光量検出用の受光素子（これをモニタＰＤと呼ぶ）に入射し、当該モニタＰＤから出力されるモニタ信号に基づいて、レーザダイオードの発光パワーを一定に制御するようになされている。この制御をＡＰＣ（Automatic Power Control）と呼ぶ。
【０００３】
ここで、レーザダイオードから出射されるレーザ光は微細なパワー変動（レーザノイズ）を有しており、この影響によって再生信号にもレーザノイズ成分が含まれてしまうという問題がある。
【０００４】
かかる問題を解決するため、再生信号に含まれるレーザノイズ成分を上述したモニタ信号を用いてキャンセルする手法がある。
【０００５】
上述したレーザノイズキャンセル手法によってレーザノイズを最大限キャンセルするには、再生信号及びモニタ信号の信号遅延量を極力一致させる（すなわち、両者の位相差を一致させる）必要がある。しかしながら、再生ＰＤ及びモニタＰＤそれぞれの特性のばらつきや、当該再生ＰＤ及びモニタＰＤの出力をそれぞれ電流／電圧変換して再生信号及びモニタ信号を生成する変換回路の特性のばらつき等の原因によって、再生信号及びモニタ信号の位相差が大きくなってしまい、再生ＲＦ信号に含まれるレーザノイズ成分を十分にキャンセルし得ないという問題があった。
【０００６】
このため、このようなレーザノイズキャンセル手法を用いた光ピックアップにおいて、再生ＰＤ及びモニタＰＤ、並びにそれぞれの変換回路を一つの受光素子上に設けることによりこれらの特性のばらつきを一致させて、更に良好なレーザノイズキャンセルを行うようになされた光ピックアップが提案されている（例えば、特許文献１参照）。
【０００７】
図６はこのような構成の光ピックアップ１００を示し、光源であるレーザダイオード１０１、コリメータレンズ１０２、偏光ビームスプリッタ１０３、１／４波長板１０４、対物レンズ１０５、集光レンズ１０６及び受光素子１０７を有している。この受光素子１０７は、再生信号生成用の再生ＰＤ１０７Ａと、ＡＰＣ及びＬＮＣ信号生成用のモニタＰＤ１０７Ｂと、当該再生ＰＤ１０７Ａ及びモニタＰＤ１０７Ｂの出力電流をそれぞれ電流／電圧変換して再生信号及びＬＮＣ信号を生成する変換回路（図示せず）とを有している。
【０００８】
偏光ビームスプリッタ１０３は偏光反射面１０３Ａ及び全反射面１０８を有している。偏光反射面１０３Ａは、Ｐ偏光についてはその９０％を透過させるとともに残りの１０％を反射し、Ｓ偏光については全反射するように特性が選定されている。一方全反射面１０８は、光を偏光面に関わらず１００％反射するようになされている。また全反射面１０８は、光路に対する垂直面に対して僅かに傾斜して設けられている。
【０００９】
レーザダイオード１０１から出射されたＰ偏光のレーザ光は、コリメータレンズ１０２によって平行光線化され、偏光ビームスプリッタ１０３に入射する。偏光ビームスプリッタ１０３の偏光反射面１０３Ａは、Ｐ偏光のレーザ光の１０％をモニタレーザ光として全反射面１０８の方向に反射するとともに、残りの９０％を透過して１／４波長板１０４に入射させる。
【００１０】
偏光ビームスプリッタ１０３の全反射面１０８は、偏光反射面１０３Ａで反射された１０％のモニタレーザ光を全反射し、再度偏光反射面１０３Ａに入射させる。この反射光もＰ偏光であるから、偏光反射面１０３Ａは当該モニタレーザ光の９０％を透過し、受光素子１０７のモニタＰＤ１０７Ｂに入射する。そしてモニタＰＤ１０７Ｂは、入射光量に応じたモニタ信号を生成する。
【００１１】
一方１／４波長板１０４は、偏光反射面１０３Ａを透過してきたＰ偏光のレーザ光を円偏光に変換し、対物レンズ１０５を介して光ディスク１０９に照射する。そして対物レンズ１０５は、光ディスク１０９で反射された反射レーザ光を受光して１／４λ波長板１０４に入射させる。
【００１２】
１／４波長板１０４は、反射レーザ光を円偏光からＳ偏光に変換して偏光ビームスプリッタ１０３に入射する。偏光ビームスプリッタ１０３の偏光反射面１０３Ａは、Ｓ偏光でなる反射レーザ光を全反射し、集光レンズ１０６を介して受光素子１０７の再生ＰＤ１０７Ａに入射する。そして再生ＰＤ１０７Ａは、入射光量に応じた再生信号を生成する。
【００１３】
そして光ピックアップ１００は、モニタ信号に基づいてレーザダイオード１０１に対するＡＰＣ制御や再生信号に対するレーザノイズキャンセルを行う。
【００１４】
このように光ピックアップ１００では、偏光ビームスプリッタ１０３の偏光反射面１０３Ａで分岐されたモニタレーザ光を全反射面１０８で反射して当該偏光反射面１０３Ａに再入射させることにより、当該モニタレーザ光の光軸と光ディスク１０９からの反射レーザ光の光軸とを略一致させて受光素子１０７で受光させ、再生信号及びモニタ信号を１つの受光素子１０７で生成することにより、当該再生信号及びモニタ信号の位相差を極力小さくして、再生信号に対して正確なレーザノイズキャンセルを行うようになされている。
【特許文献１】特開２００５−４８４８公報
【発明の開示】
【発明が解決しようとする課題】
【００１５】
ところが、上述した構成の光ピックアップ１００では、一つの受光素子１０７で反射レーザ光及びモニタレーザ光を受光させることから、その光学系の構成が複雑になり、調整工程の増加や光ピックアップ１００自体が大型化してしまうという問題があるとともに、多層ディスク使用時において、出射レーザ光が非合焦記録層で反射されてなる迷光がモニタＰＤ１０７Ｂに入射してしまうことにより、当該迷光の影響によってＡＰＣ制御やレーザノイズキャンセルに誤差が生じてしまうという問題があった。
【００１６】
本発明は以上の点を考慮してなされたもので、再生信号に含まれるレーザノイズを効果的に除去し得るとともに、正確なレーザ出力制御を行い得る光学集積素子、及びこれを用いた光ピックアップ装置及び光ディスク装置を提案しようとするものである。
【課題を解決するための手段】
【００１７】
かかる課題を解決するため本発明においては、レーザ光を出射する発光素子と、第１の受光素子に設けられ、レーザ光が光ディスクで反射されてなる反射レーザ光を受光し、受光光量に応じた検出電流を出力する第１の光検出器と、第２の受光素子に設けられ、発光素子から出射されたレーザ光の一部を受光し、受光光量に応じた検出電流を出力する第２の光検出器と、第１の光検出器から出力された検出電流を電流／電圧変換して再生信号を生成する第１の電流／電圧変換回路及び第２の光検出器から出力された検出電流を電流／電圧変換してモニタ信号を生成する第２の電流／電圧変換回路を有する回路素子とを光学集積素子に設けた。
【００１８】
第１の電流／電圧変換回路及び第２の電流／電圧変換回路を同一の回路素子上に設けたことにより、当該第１の電流／電圧変換回路及び第２の電流／電圧変換回路の特性のばらつきを一致させて再生信号及びモニタ信号の位相差を低減し、これによりモニタ信号を用いた再生信号に対するレーザノイズキャンセルの精度を向上することができる。
【００１９】
また本発明においては、第１の受光素子を素子配置手段の一面に配置し、第２の受光素子を素子配置手段における一面と相対する他面に配置した。
【００２０】
これにより、多層ディスク使用時に発生する迷光が第２の光検出器に入射することを防止して、当該迷光の影響を排除した高精度なモニタ信号を生成することができ、当該モニタ信号を用いた発光素子の出力制御の精度を向上することができるとともに、モニタ信号を用いた再生信号に対するレーザノイズキャンセルの精度を向上することができる。
【発明の効果】
【００２１】
本発明によれば、再生信号及びモニタ信号の位相差を低減するとともに、モニタ信号に対する迷光の影響を排除することができ、これにより、再生信号に含まれるレーザノイズを効果的に除去し得るとともに、正確なレーザ出力制御を行い得る光学集積素子、及びこれを用いた光ピックアップ及び光ディスク装置を実現することができる。
【発明を実施するための最良の形態】
【００２２】
以下図面について、本発明の一実施の形態を詳述する。
【実施例】
【００２３】
（１）光ディスク装置の全体構成
図１において、１は全体として本発明を適用した光ディスク装置を示し、制御部２が、不揮発性メモリ（図示せず）に格納された基本プログラムやアプリケーションプログラムに従って当該光ディスク装置１の各部を制御するようになされている。
【００２４】
すなわち制御部２は、サーボ回路３を介してスピンドルモータ４を回転させ、ターンテーブル（図示せず）に載置された光ディスク８を回転駆動する。また制御部２は、サーボ回路３を介して送りモータ５を回転させ、光ピックアップ７を光ディスク８の半径方向に移動させる。さらに制御部２は信号処理部６を制御し、光ディスク８に対するデータの読出及び書込を実行させる。
【００２５】
また制御部２は光ピックアップ７のレンズ駆動装置（図示せず）を制御し、当該光ピックアップ７の対物レンズをトラッキング方向及びフォーカス方向に駆動して、光ディスク８の記録面にレーザ光を合焦させる。
【００２６】
この光ディスク装置１は複数種類の光ディスクに対応しており、ディスク種別に応じた最適な光ビーム出力等の各種制御パラメータを不揮発メモリ（図示せず）に記憶している。そして制御部２は、装着された光ディスク８の種別を光ピックアップ７からの再生信号等に基づいて認識し、当該認識した種類に応じた制御パラメータを用いてレーザ出力や発光パターン、スピンドル回転数等を制御する。
【００２７】
（２）光ピックアップの構成
図２は光ピックアップ７の構成を示し、光学集積素子９、コリメータレンズ１０、１／４波長板１１、及び対物レンズ１２が、例えばアルミダイキャスト成型品でなる図示しない光ピックアップベース（以下、これをＯＰベースと呼ぶ）にマウントされて構成されている。
【００２８】
光学集積素子９は、レーザダイオード等を内蔵して封止したパッケージ２１に対して、各種部品が組み付けられて構成されている。
【００２９】
すなわち、パッケージ２１の上面には、光ディスク４で反射された反射レーザ光から再生信号や各種サーボエラー信号を得るための第１の受光素子３０が取り付けられているとともに、回折格子２３Ａやホログラム２３Ｂを有するモールド複合素子２３がスペーサ２２を介して取り付けられている。さらに、モールド複合素子２３の上面には、複数個のプリズムを組み合わせて構成された積層プリズム２４が取り付けられている。
【００３０】
パッケージ２１は例えばセラミックス成型品でなり、略平板状の素子配置部２１Ａと当該保持部２１Ａの周縁から垂設された周面部２２Ａとが一体成形されて、下方に開口した素子収納部２１Ｃを内部に有する扁平な箱状を形成している。
【００３１】
素子収納部２１Ｃにおける素子配置部２１Ａの下面には、発光素子としてのレーザダイオード３１、プリズム３２及び第２の受光素子３３が配置されている。このため、第１の受光素子３０及び第２の受光素子３３は、素子配置部２１Ａを挟んで近接した位置に取り付けられる。そして、パッケージ２１における周面部２２Ａの下端には、素子収納部２１Ｃの開口部全体を覆う反射リッド２１Ｄが取り付けられており、かくしてレーザダイオード３１、プリズム３２及び第２の受光素子３３は素子収納部２１Ｃの内部に封止される。
【００３２】
プリズム３２は、レーザダイオード３１から出射されたレーザ光の光路を変更する光路変更体として機能する。すなわち、プリズム３２におけるレーザ光の入射方向には、当該レーザ光の光路に対して４５°上方に傾斜した反射面３２Ａが設けられており、当該反射面３２Ａはレーザ光の約８０％を出射レーザ光として上方に反射するとともに、残りの２０％をモニタレーザ光として透過する。
【００３３】
プリズム３２の反射面３２Ａで反射された出射レーザ光は、素子収納部２１Ｃに開口された出射孔２１Ｅを透過し、モールド複合素子２３の回折格子２３Ａを介して積層プリズム２４のＰＢＳ（偏光ビームスプリッタ）２４Ａに入射される。
【００３４】
このＰＢＳ２４Ａは、Ｐ偏光を略１００％透過（全透過）するとともに、Ｓ偏光を略１００％反射（全反射）するような特性を有する偏光反射面である。一方、出射レーザ光はＰ偏光でなり、これによりＰＢＳ２４Ａは当該出射レーザ光を略全透過してコリメータレンズ１０に入射する。
【００３５】
コリメータレンズ１０は、ＰＢＳ２４Ａを透過してきた出射レーザ光を発散光から平行光へと変換し、さらに１／４波長板１１によってＰ偏光から円偏光へと変換して対物レンズ１２に入射する。対物レンズ１２は出射レーザ光を集光して光ディスク８に照射する。
【００３６】
さらに対物レンズ１２は、出射レーザ光が光ディスク８で照射されてなる反射レーザ光を集光し、１／４波長板１１によって円偏光からＳ偏光へと変換してコリメータレンズ１０に入射させる。コリメータレンズ１０は、反射レーザ光を平行光から収束光へと変換して積層プリズム２４へと入射させる。
【００３７】
ＰＢＳ２４Ａは、反射レーザ光をその偏光方向に応じて略全反射してハーフミラー２４Ｂに入射させる。ハーフミラー２４Ｂは、ＰＢＳ２４Ａからの反射レーザ光の一部を９０度反射してモールド復号素子２３のホログラム２３Ｂに入射し、当該ホログラム２３Ｂによって回折される＋１次光及び−１次光を、第１の受光素子３０のフォーカスエラーＰＤ３０Ｂ（図３）に入射させる。またハーフミラー２４Ｂは、反射レーザ光の残りを透過し、全反射ミラー２４Ｃを介して受光素子１２の再生ＰＤ３０Ａ（図３）に入射させる。
【００３８】
第１の光検出器としての再生ＰＤ３０Ａは、反射レーザ光の入射光量に応じた検出電流を出力し、これを第１の受光素子３０に設けられている再生信号用電流／電圧変換回路３０Ｃに供給する。再生信号用電流／電圧変換回路３０Ｃは、再生ＰＤ３０Ａからの検出電流を電圧変換して再生信号を生成し、光学集積素子９のＬＮＣ回路（図示せず）に供給する。
【００３９】
同様に、フォーカスエラーＰＤ３０Ｂは入射光量に応じた検出電流を出力し、これを第１の受光素子３０に設けられているフォーカスエラー信号用電流／電圧変換回路３０Ｄに供給する。フォーカスエラー信号用電流／電圧変換回路３０Ｄは、フォーカスエラーＰＤ３０Ｂからの検出電流を電圧変換してフォーカスエラー信号を生成し、信号処理部６（図１）に供給する。
【００４０】
一方、図２において、プリズム３２の反射面３２Ａを透過したモニタレーザ光は、当該プリズム３２によって下方に屈折されて反射リッド２１Ｄの上面に導かれる。反射リッド２１Ｄの上面には反射面が形成されており、反射リッド２１Ｄはプリズム３２からのモニタレーザ光を当該反射面で反射して、第２の受光素子３３のモニタＰＤ３３Ａ（図３）に入射させる。このモニタレーザ光の光量はレーザダイオード３１の発光パワーに比例しており、第２の光検出器としてのモニタＰＤ３３Ａは、当該モニタレーザ光の入射光量に応じて、レーザダイオード３１の発光パワーに比例した検出電流を生成する。また、この検出電流にはレーザダイオード３１が発するレーザ光のレーザノイズ成分が含まれている。
【００４１】
ここで図３に示すように、モニタＰＤ３３Ａのグランド端子３３Ｂ及びカソード端子３３Ｃは、ボンディングワイヤ３３Ｃやビア３３Ｄを介して、第１の受光素子３０に設けられたモニタ信号用電流／電圧変換回路３０Ｅに接続されている。モニタ信号用電流／電圧変換回路３０Ｃは、モニタＰＤ３３Ａからボンディングワイヤ３３Ｃ及びビア３３Ｄを介して供給される検出電流を電圧変換してモニタ信号を生成し、光学集積素子９のＬＮＣ回路及びＡＰＣ回路（図示せず）に供給する。
【００４２】
光学集積素子９のＬＮＣ回路は、再生信号に含まれるレーザノイズ成分をモニタ信号に含まれるレーザノイズ成分で相殺し、レーザノイズ成分除去後の再生信号を信号処理部６（図１）に出力する。また光学集積素子９のＡＰＣ回路は、ＬＮＣ信号に基づいてレーザダイオード３１の出力を制御する。
【００４３】
上述したように本発明の光ピックアップ７では、モニタＰＤ３３Ａを有する第２の受光素子３３と、光ディスク８からの反射光を受光するための第１の受光素子３０とが、パッケージ２１の素子配置部２１Ａを挟んで相対する位置に取り付けられている（図２）。このため光ピックアップ７では、光ディスク８として多層ディスクを用いた場合に発生する迷光が第２の受光素子３３に入射せず、これにより当該迷光の成分がモニタ信号に含まれることを防止して、従来に比してより正確なＡＰＣ制御及びレーザノイズキャンセルを行うことができる。
【００４４】
図４は、モニタＰＤ３３Ａからモニタ信号用電流／電圧変換回路３０Ｅまでの受光系回路及び再生ＰＤ３０Ａから再生信号用電流／電圧変換回路３０Ｃまでの受光系回路の等価回路図を示している。
【００４５】
本実施の形態の光ピックアップ７では、モニタＰＤ３３Ａの寄生容量Ｃｐｄ１は６[pF]、モニタ信号用電流／電圧変換回路３０Ｅの差動増幅器Ｄａ１に対する帰還抵抗Ｒｔ１は５[kΩ]に設定されているとともに、再生ＰＤ３０Ａの寄生容量Ｃｐｄ２は０．３[pF]、再生信号用電流／電圧変換回路３０Ｃの差動増幅器Ｄａ２に対する帰還抵抗Ｒｔ２は１００[kΩ]に設定されており、それぞれの系における寄生容量と帰還抵抗の積が一致するように各値が設定されていることにより（すなわち、Ｃｐｄ１×Ｒｔ１＝Ｃｐｄ２×Ｒｔ２）、モニタ信号及び再生信号の遅延差を低減させている。
【００４６】
ところで本発明の光ピックアップ７では、第１の受光素子３０及び第２の受光素子３３は素子配置部２１Ａを挟んで相対する位置に取り付けられることから、当該第１の受光素子３０と第２の受光素子３３とを一体に構成し得ず、これにより再生ＰＤ３０Ａ及びモニタＰＤ３３Ａの特性のばらつきを完全に一致させることは困難である。
【００４７】
しかしながら本発明の光ピックアップ７では、モニタＰＤ３３Ａの検出電流からモニタ信号を生成するモニタ信号用電流／電圧変換回路３０Ｅを、再生ＰＤ３０Ａの検出電流から再生信号を生成する再生信号用電流／電圧変換回路３０Ｃと共に第１の受光素子３０上に設けたことにより、当該モニタ信号用電流／電圧変換回路３０Ｅ及び再生信号用電流／電圧変換回路３０Ｃの特性のばらつきを一致させることができ、これによりモニタ信号及び再生信号の位相差を抑えることができる。
【００４８】
さらに本発明の光ピックアップ７では、第２の受光素子３３と第１の受光素子３０とが素子配置部２１Ａを挟んで相対する位置に取り付けられていることから、モニタＰＤ３３Ａとモニタ信号用電流／電圧変換回路３０Ｅとを接続するボンディングワイヤ３３Ｃ及びビア３３Ｄの配線長を最小限に抑えることができ（本実施例では２[mm]以下）、これにより、当該配線に起因するモニタ信号の遅延を最小限に抑えている。
【００４９】
すなわち図４に示す等価回路図において、ボンディングワイヤ３３Ｃ及びビア３３Ｄの寄生容量Ｃｐｋｇは０．５[pF]以下、寄生インダクタンスＬｐｋｇは２[nH]以下に抑えられており、これにより当該寄生容量Ｃｐｋｇ及び寄生インダクタンスＬｐｋｇに起因するモニタ信号の遅延を最小限に留めている。
【００５０】
図５は、上述した条件における再生信号及びモニタ信号の遅延量を示し、広い周波数帯域にわたって、再生信号とモニタ信号との遅延差は最大でも０．２〜０．３[nS]に抑えられていることがわかる。
【００５１】
（３）動作及び効果
以上の構成において、この光ピックアップ７では、光ディスク８で反射された反射レーザ光を受光する第１の受光素子３０と、レーザダイオード３１からのモニタレーザ光を受光する第２の受光素子３３とを、パッケージ２１の素子配置部２１Ａを挟んで相対する位置に取り付けたことにより、多層ディスク使用時における迷光が第２の受光素子３３に入射することを防止でき、これにより第２の受光素子３３のモニタＰＤ３３Ａで生成されるモニタ信号から迷光の影響を排除して、当該モニタ信号の精度を向上し、ＡＰＣ制御及び再生信号に対するレーザノイズキャンセルの精度を向上することができる。また、モニタレーザ光をレーザダイオード３１から第２の受光素子３３に導く光学系を簡素化することができ、これにより光学集積素子９及び光ピックアップを小型化することができるとともに、光学集積素子９及び光ピックアップを製造する際の調整工程も削減できる。
【００５２】
そしてこの光ピックアップ７では、再生ＰＤ３０Ａの寄生容量Ｃｐｄ２及び再生信号用電流／電圧変換回路３０Ｃの帰還抵抗Ｒｔ２の積と、モニタＰＤ３３Ａの寄生容量Ｃｐｄ１及びモニタ信号用電流／電圧変換回路３０Ｅの帰還抵抗Ｒｔ１の積とが一致するように各値を設定したことにより、再生信号の生成に要する遅延とモニタ信号の生成に要する遅延とを略一致させて、当該再生信号及びモニタ信号の位相差を低減し、これによりレーザノイズキャンセルの精度を向上することができる。
【００５３】
さらにこの光ピックアップ７では、モニタ信号用電流／電圧変換回路３０Ｅを、再生信号用電流／電圧変換回路３０Ｃと共に第１の受光素子３０上に設けたことにより、両者の特性のばらつきを一致させることができ、これにより、レーザノイズキャンセルの精度をさらに向上することができる。
【００５４】
これに加えてこの光ピックアップ７では、第１の受光素子３０及び第２の受光素子３３を、素子配置部２１Ａを挟んで相対する位置に取り付けたことにより、モニタＰＤ３３Ａとモニタ信号用電流／電圧変換回路３０Ｅとを接続する配線の配線長を最小限に抑えて当該配線に起因するモニタ信号の遅延を最小限にし、これにより、レーザノイズキャンセルの精度をさらに向上することができる。
【００５５】
以上の構成によれば、迷光の影響を廃した精度の高いモニタ信号を生成できるとともに、当該モニタ信号と再生信号との位相差を最小限に抑えることができ、これによりＡＰＣ制御の精度及びレーザノイズキャンセルの精度を従来に比して格段に向上することができる。
【００５６】
（４）他の実施の形態
なお上述の実施の形態においては、モニタ信号用電流／電圧変換回路３０Ｅを、再生信号用電流／電圧変換回路３０Ｃと共に第１の受光素子３０上に設けるようにしたが、本発明はこれに限らず、再生信号用電流／電圧変換回路３０Ｃを、モニタ信号用電流／電圧変換回路３０Ｅと共に第２の受光素子３３上に設けたり、あるいは、再生信号用電流／電圧変換回路３０Ｃ及びモニタ信号用電流／電圧変換回路３０Ｅを、第１の受光素子３０及び第２の受光素子３３以外の素子上に設けるようにしてもよく、これらの場合でもモニタ信号用電流／電圧変換回路３０Ｅ及び再生信号用電流／電圧変換回路３０Ｃの特性のばらつきを一致させて、レーザノイズキャンセルの精度を向上させることができる。
【００５７】
また上述の実施の形態においては、第１の受光素子３０及び第２の受光素子３３を、素子配置部２１Ａを挟んで相対する位置に取り付けるようにしたが、本発明はこれに限らず、第２の受光素子３３に迷光が入射しないような位置であれば、当該第２の受光素子３３を第１の受光素子３０と同一面に設けるようにしてもよい。
【産業上の利用可能性】
【００５８】
本発明は、ＣＤ（Compact Disc）、ＤＶＤ（Digital Versatile Disc）、Ｂｌｕ−ｒａｙ  Ｄｉｓｃ等の各種光ディスク装置に適用できる。
【図面の簡単な説明】
【００５９】
【図１】光ディスク装置の全体構成を示すブロック図である。
【図２】光ピックアップの構成を示す略線図である。
【図３】受光素子の配置状態を示す略線図である。
【図４】光ピックアップの受光系の等価回路を示すブロック図である。
【図５】再生信号及びモニタ信号の遅延量を示す特性曲線図である。
【図６】従来の光ピックアップの構成を示す略線図である。
【符号の説明】
【００６０】
１……光ディスク装置、２……制御部、３……サーボ回路、４……スピンドルモータ、５……送りモータ、６……信号処理部、７……光ピックアップ、８……光ディスク、９……光学集積素子、１０……コリメータレンズ、１１……１／４波長板、１２……対物レンズ、２１……パッケージ、２２……スペーサ、２３……モールド複合素子、２４……積層プリズム、３０……第１の受光素子、３１……レーザダイオード、３２……プリズム、３３……第２の受光素子。
【図１】
2007220216.tif 000003
【図２】
2007220216.tif 000004
【図３】
2007220216.tif 000005
【図４】
2007220216.tif 000006
【図５】
2007220216.tif 000007
【図６】
2007220216.tif 000008